(57)【特許請求の範囲】
【請求項１】
液状化粧料を収容する有底筒状の容器本体、容器本体の上端開口部を密閉するキャップ、一端部に塗布部が設けられた軸部を有し、キャップを閉じた状態で塗布部が容器本体内に挿入されている化粧料塗布容器であって、
キャップが、容器本体に着脱自在に装着される筒状部と、弾性変形可能で軸部の基部が取り付けられている頂部と、軸部を摺動可能に支持するパッキンを有し、
キャップが容器本体に装着された状態で、軸部が斜めに押し込まれることにより塗布部が容器本体底部の隅部へ到達可能である化粧料塗布容器。
【請求項２】
キャップの頂部の母材が弾性変形可能な樹脂である請求項１記載の化粧料塗布容器。
【請求項３】
キャップの頂部の母材のショアＡ硬さが７０〜８０Ｈｓである請求項２記載の化粧料塗布容器。
【請求項４】
容器本体が内部にしごき部を有し、キャップが容器本体に装着された状態でしごき部とパッキンの間に位置する軸部に軸対称多角形状の太径部が形成されている請求項１〜３のいずれかに記載の化粧料塗布容器。
【請求項５】
容器本体の少なくとも胴部が透明である請求項１〜４のいずれかに記載の化粧料塗布容器。
【発明の詳細な説明】
【技術分野】
【０００１】
本発明は、塗布具を備えた液状化粧料の容器に関する。
【背景技術】
【０００２】
液状口紅、マスカラ、マニキュア等の液状化粧料の塗布容器として、液状化粧料を収容する有底筒状の容器本体とキャップからなり、キャップに軸部が取り付けられ、その軸部の端部に塗布部が設けられた塗布容器であって、キャップで容器本体を閉じた状態で塗布部が容器本体内に挿入されており、キャップを容器本体から取り外した状態で、キャップが、軸部の一端を塗布部とする塗布具の把持部として使用されるものが広く使用されている。
【０００３】
このような塗布容器では、液状化粧料が高粘度で流動性が低いと、塗布部に付着させることができずに使い切ることのできない液状化粧料が容器本体内に残留しやすい。そこで、残留化粧料の量を低減させるために、容器本体の口部外周面に球状膨出部を形成し、キャップを容器本体に装着したままでキャップを揺動可能とすることが提案されている（特許文献１、特許文献２）。
【先行技術文献】
【特許文献】
【０００４】
【特許文献１】特開2009-153963号公報
【特許文献２】特開2009-153826号公報
【発明の概要】
【発明が解決しようとする課題】
【０００５】
しかしながら、上述の液状化粧料の塗布容器では、キャップを容器本体に装着した状態で、容器本体内に挿入されている軸部が揺動はするが充分な長さがないため、容器本体底部の隅部に残留している液状化粧料を塗布部に付着させることができない。そのため、容器本体底部の隅部には液状化粧料が依然として残留してしまう。
【０００６】
これに対し、本発明は、キャップに取り付けられた軸部の端部の塗布部を容器本体に挿入し、容器本体に収容されている液状化粧料を付着させる化粧料塗布容器において、容器本体底部の隅部に溜まっている液状化粧料を塗布部に付着させることを可能とし、容器本体内に使い切れずに残留する液状化粧料を減らすことを目的とする。
【課題を解決するための手段】
【０００７】
本発明者は、塗布具の軸部を取り付けるキャップの頂部を弾性変形可能とし、キャップで容器本体を閉じた状態で塗布具の軸部を容器本体内に押し込むことができるようにすると、容器本体底部の隅部に溜まっている液状化粧料を軸部の端部の塗布部に付着させることができ、これにより、容器本体内の隅部で使用できずに残留する液状化粧料を低減できることを見出した。
【０００８】
即ち、本発明は、液状化粧料を収容する有底筒状の容器本体、容器本体の上端開口部を密閉するキャップ、一端部に塗布部が設けられた軸部を有し、キャップを閉じた状態で塗布部が容器本体内に挿入されている化粧料塗布容器であって、
キャップが、容器本体に着脱自在に装着される筒状部と、弾性変形可能で軸部の基部が取り付けられている頂部と、軸部を摺動可能に支持するパッキンを有する化粧料塗布容器を提供する。
【発明の効果】
【０００９】
本発明によれば、キャップの頂部が弾性変形可能であり、そこに軸部の基部が取り付けられているため、キャップで容器本体を閉じた状態で、キャップの頂部を容器本体方向に押し込むことにより軸部を容器本体内に押し込み、軸部の端部にある塗布部を容器本体底部に到達させることができ、さらに軸部を斜めに押し込むことにより底部の隅部にも到達させることができる。したがって、容器本体底部の隅部に溜まっている液状化粧料を塗布部に付着させ、使用本体内に残留する液状化粧料を低減させることができる。
【００１０】
また、キャップを閉じた状態でキャップの頂部の弾性変形により軸部の押し込みを行えるので、容器本体の上端開口部に不用に液状化粧料が付着することがない。さらに、軸部の押し込みは、片手で簡単に行うことができる。
【００１１】
一方、キャップの頂部の押し込みを解除すると、頂部は弾性により押し込み前の位置に戻り、軸部も戻る。このため、再度押し込むだけで容易に容器本体底部の隅部に溜まっている液状化粧料を塗布部に付着させ、使用することができる。
【図面の簡単な説明】
【００１２】
【図１Ａ】図１Ａは、実施例の化粧料塗布容器においてキャップを閉じた状態の斜視図である。
【図１Ｂ】図１Ｂは、図１Ａの化粧料塗布容器の縦断面図である。
【図２】図２は、化粧料塗布容器のキャップを外した状態の縦断面図である。
【図３】図３は、化粧料塗布容器においてキャップの頂部が押し込まれている状態の断面図である。
【発明を実施するための形態】
【００１３】
以下、図面を参照しつつ本発明を詳細に説明する。なお、各図中、同一符号は同一又は同等の構成要素を表している。
【００１４】
図１Ａは、本発明の一実施例の化粧料塗布容器１の斜視図であり、図１Ｂは、この化粧料塗布容器１の縦断面図であり、図２は、この化粧料塗布容器１のキャップを外した状態の縦断面図である。
【００１５】
この化粧料塗布容器１は、液状口紅、マスカラ、マニキュア等の液状化粧料、特に、機能性を向上させるために高粘度で流動性の低い液状口紅の塗布具付容器として好適に使用される。
【００１６】
化粧料塗布容器１は、有底筒状で上端部に開口部を有する容器本体２と、容器本体２の上端開口部を着脱自在に密閉するキャップ１０と、一端部に塗布部２１が設けられた軸部２０を有する。言い換えると、軸部２０の一端部に塗布部２１、他端部にキャップ１０が接続されている。
【００１７】
キャップ１０は、容器本体２に螺合により着脱自在に装着される筒状部１１と、筒状部１１に冠着している概略半球型の頂部１２を有し、頂部１２の内側中央部の筒状突出部には軸部２０の基部が嵌入し、固定されている。
【００１８】
図２に示すようにキャップ１０を容器本体２から外すと、キャップ１０と軸部２０と塗布部２１とから、キャップ１０を把持部とする塗布具が構成される。
【００１９】
軸部２０は、その長さが、キャップ１０が容器本体２を閉じている状態で、塗布部２１の先端部が容器本体２の底面から僅かに離れた位置となるように調整されている。これにより、キャップ１０で容器本体２を閉じた液状化粧料の保管時に、塗布部２１が容器本体２の底部に接触して撓むなどの無用な変形を防止することができる
【００２０】
塗布部２１は、後述するパッキン１３、しごき部３を通して容器本体２に挿入可能に形成されている。塗布部２１の具体的な形状は、この化粧料塗布容器１が、液状口紅の塗布に使用されるのか、マスカラの塗布に使用されるのかといった用途や、液状化粧料の物性などに応じて適宜定められ、例えば、液状口紅の塗布に使用される場合、フロッキー加工された表面を有する扁平な匙形状とすることができる。
【００２１】
一方、キャップ１０の頂部１２は、その母材が弾性変形可能な樹脂で形成されていることにより、外形が弾性変形可能となっている。
【００２２】
ここで、頂部１２の母材を形成する弾性変形可能な樹脂としては、頂部１２の押し込みによる変形を可能とするものが好ましく、かつキャップ１０にしめる頂部１２の大きさによっては、キャップ１０を塗布具の把持部として使用するのに適した剛性を備えているものが好ましい。柔らかすぎるとキャップ１０を把持部として使用しにくくなり、硬すぎると押し込みにより頂部１２を変形させることが難しくなる。そこで、頂部１２母材のショアＡ硬さを６０〜９５Ｈｓとすることが好ましく、７０〜８０Ｈｓがより好ましい。頂部１２をこのような硬さに形成する樹脂としては、例えば、ニトリルゴム（ＮＢＲ）、ブチルゴム（IIＲ）、シリコーンゴム等のゴムや熱可塑性エラストマー樹脂等をあげることができる。
【００２３】
また、キャップ１０の筒状部１１は、容器本体２の胴部２ｂを延長するように筒型に形成されており、筒状部１１の内部には、容器本体２の上端開口部上で軸部２０を摺動可能に支持するパッキン１３が取り付けられている。パッキン１３で軸部２０を摺動可能に支持することにより、図３に示すように、頂部１２で軸部２０の基部をわずかに動かすだけで、軸部２０の先端の塗布部２１を大きく動かすことが可能となる。また、パッキン１３で軸部２０を支持することにより、容器本体２内からの液状化粧料の漏れも確実に防止することができる。
【００２４】
容器本体２は、内部の液状化粧料の残存状態を透視できるように、少なくとも胴部２ｂを透明樹脂材料で形成することが好ましい。
【００２５】
容器本体２の上端開口部内には、しごき部３が設けられている。しごき部３は、弾性材料により、容器本体の上端部から内部に向かって縮径するロート状に成形されている。しごき部３は、容器本体２に挿入された軸部２０と塗布部２１から余分な液状化粧料をしごき取り、塗布部２１の先端部に適量の液状化粧料を付着させるために設けられている。
【００２６】
この化粧料塗布容器１は、容器本体２からキャップ１０を外し、キャップ１０を把持部として、塗布部２１に付着した液状化粧料を被塗布部へ塗布するために使用され、また、塗布後には、キャップ１０で容器本体２を密封し、容器本体２内の液状化粧料を保管しておくために使用されるが、容器本体２内の液状化粧料の残量が少なくなり、塗布部２１に液状化粧料が付着しにくくなった場合には、次のようにして容器本体２内に残っている液状化粧料を使用することができる。
【００２７】
即ち、キャップ１０の頂部１２が弾性変形可能で、そこに軸部２０の基部が固定され、更に軸部２０がパッキン１３で摺動可能に支持されていることにより、図３に示すように、キャップ１０を容器本体２側へ押し込むと、軸部２０が容器本体２の底部側へ押し込まれ、塗布部２１の先端部が容器本体底部の隅部２ａに到達する。このとき斜めに押し込むこともできる。また、頂部１２がパッキン１３で摺動可能に支持されていることにより、頂部１２で軸部２０の基部をわずかに動かすだけで、軸部２０の先端の塗布部２１を大きく動かすことができる。このため、容器本体２内の底部にも、その隅部２ａにも容易に塗布部２１の先端部を到達させることができる。さらに、キャップ１０で容器本体２を閉じるときのキャップ１０の向きを変えることにより、容器本体２内の隅部２ａ全周に塗布部２１の先端部を到達させることができる。したがって、この隅部２ａに残留している液状化粧料を塗布部２１に付着させて使用することができ、容器本体２内で使い切れずに残留する液状化粧料を著しく低減させることができる。
【００２８】
また、このキャップ１０の頂部１２の押し込みは、図３に破線で示すように、片手で簡単に行うことができる。キャップ１０の頂部１２の押し込みを解除すると、頂部１２の弾性により頂部１２は押し込み前の形状に戻るので、片手によるキャップ１０の押し込み操作だけで、容器本体２内に残留する液状化粧料を容易に低減させることができる。
【００２９】
本発明は、種々の態様をとることができる。例えば、軸部２０には、キャップ１０で容器本体２を閉じた状態でしごき部３とパッキン１３の間となる位置に、軸対称で軸方向の断面が多角形状の太径部２２を設けることが好ましい。この太径部２２の軸対称多角形状としては、例えば、上下に円錐を重ねた算盤玉形状とすることができる。化粧料塗布容器１の使用に伴い、塗布部２１の容器本体２への挿入と容器本体２からの引き上げを繰り返すと、次第にしごき部３の容器本体側に液状化粧料が溜まってくるが、キャップ１０の頂部１２の押し込みにより太径部２２がしごき部３の下へ移動することにより、しごき部３の容器本体側に溜まっていた液状化粧料を容器本体２の底部側へ移動させることができる。
【００３０】
また、キャップ１０の頂部１２は軸部２０を容器本体側に押し込むことができればよく、半球型でなくともよい。
【符号の説明】
【００３１】
１    化粧料塗布容器
２    容器本体
２ａ  隅部
２ｂ  胴部
３    しごき部
１０    キャップ
１１    筒状部
１２    頂部
１３    パッキン
２０    軸部
２１    塗布部
２２    太径部
【図１Ａ】
0005994250.tif 000002
【図１Ｂ】
0005994250.tif 000003
【図２】
0005994250.tif 000004
【図３】
0005994250.tif 000005